(57)【特許請求の範囲】
【請求項１】
本体（５）に対して嵌合するようになっているセラミック要素（３）と、前記セラミック要素（３）と前記本体（５）の間の嵌合をロックするための変形可能なインサート（２）を備える恊働デバイス（７）とを備える、時計用の部材（１）であって、
前記恊働デバイス（７）は、凹部（１４）を備え、前記凹部（１４）は、前記セラミック要素（３）の外側の環状のヒール（６）上に形成され、前記凹部（１４）は、第２の一連の平行かつ直線の溝（１６）と交差する、第１の一連の平行かつ直線の溝（１５）によって形成され、局所的な粗度を増大させるようになっている、前記インサート（２）と前記セラミック要素（３）の間の接着手段も含んでおり、これによって前記セラミック要素（３）と前記インサート（２）の間の相対移動を減少させることを特徴とする、部材（１）。
【請求項２】
前記第１の一連の溝（１５）及び前記第２の一連の溝（１６）は、前記要素（３）の高さ（ｈ）に対して斜めになっていることを特徴とする、請求項１記載の部材（１）。
【請求項３】
前記第１の一連の溝（１５）は、前記第２の一連の溝（１６）に対して実質的に垂直に延伸していることを特徴とする、請求項１又は２に記載の部材（１）。
【請求項４】
前記凹部（１４）は、０．２〜３μｍの算術平均粗度（Ｒa）を有することを特徴とする、請求項１〜３のいずれか１項に記載の部材（１）。
【請求項５】
前記インサート（２）は、ポリマー又は金属で作製されることを特徴とする、請求項１〜４のいずれか１項に記載の部材（１）。
【請求項６】
前記本体（５）は、金属で作製されることを特徴とする、請求項１〜５のいずれか１項に記載の部材（１）。
【請求項７】
少なくとも１つの外部要素は、請求項１〜６のいずれか１項に記載の少なくとも１つの部材（１）で形成されることを特徴とする、時計。
【発明の詳細な説明】
【技術分野】
【０００１】
本発明はセラミック要素を備える部材に関し、より詳細には、時計の外部要素を形成することを意図した、この種の部材に関する。
【背景技術】
【０００２】
セラミック要素は一般に、その機械的及び化学的耐性のために使用される。しかし、これらのセラミック要素を別の部品に固定する必要がある場合、確実に固定するのは困難となる。
【発明の概要】
【発明が解決しようとする課題】
【０００３】
本発明の目的は、嵌合が向上したセラミック要素を有する部材を提供することにより、上述の欠点の全て又は一部を克服することである。
【課題を解決するための手段】
【０００４】
従って、本発明は、本体に対して嵌合するようになっているセラミック要素と、セラミック要素と本体の間の嵌合をロックするための変形可能なインサートを備える恊働デバイスとを備える部材であって、恊働デバイスが、凹部を備え、セラミック要素上に形成され、局所的な粗度を増大させるようになっている、インサートとセラミック要素の間の接着手段も含んでおり、これによって上記セラミック要素と上記インサートの間の相対移動を減少させることを特徴とする、部材に関する。
【０００５】
本発明の他の有利な特徴によると：
−凹部は、第２の一連の平行かつ直線の溝と交差する、第１の一連の平行かつ直線の溝を形成する；
−第１及び第２の一連の溝は、上記要素の高さに対して斜めになっている；
−第１の一連の溝は、第２の一連の溝に対して実質的に垂直に延伸している；
−凹部は、０．２〜３μｍの算術平均粗度を有する；
−インサートは、ポリマー又は金属製である；
−本体は、金属製である。
【０００６】
更に、本発明は、時計であって、少なくとも１つの外部要素が、上述の変形例のうち１つに係る少なくとも１つの部材で形成されることを特徴とする、時計に関する。
【０００７】
他の特徴及び利点は、添付の図面を参照しつつ、非限定的な説明として挙げられている以下の記載から明らかになるであろう。
【図面の簡単な説明】
【０００８】
【図１】図１は、本発明による部材の展開斜視図である。
【図２】図２は、本発明による部材を組立てた状態の断面図である。
【図３】図３は、本発明によるセラミック要素を示す写真である。
【発明を実施するための形態】
【０００９】
本発明は、本体５の内部キャビティ４に嵌合するようになっているセラミック要素３を含む部材１に関する。好ましくは、本発明による部材１は、時計の外部要素、例えばブレスレット若しくはリストバンド、及びケース若しくはベゼル又はこれらの一部を形成するようになっている。従って、本発明による部材１は、アルミナ若しくはジルコニア等の酸化物、又は、シリコンとタングステン、マグネシウム、プラチナ、若しくはチタン等の原子とから形成されたカーバイド、ホウ化物、若しくは窒化物等のセラミック要素を含む。
【００１０】
本発明は時計学の分野のために開発されたものではあるが、当然これに限定されるものではない。宝石、食卓用器具など、その他の応用も想定し得る。
【００１１】
上述の例では、非限定的ではあるが、部材１は時計の回転ベゼルである。本発明によると、部材１は、セラミック要素３と本体５の間の圧迫嵌合をロックするための変形可能なインサート２を備える恊働デバイス７を備えるのが有利である。本体５は好ましくは金属又は合金で形成される。しかし、他の材料であってもよい。
【００１２】
好ましくは、インサート２はポリマー又は金属で作製され、インサート２の内面９の形状はセラミック要素３のヒール６の外形と合致する。図１では、非限定的ではあるがインサート２は実質的に環状であり、これによって、実質的に円形であるヒール６の外面と嵌合する。
【００１３】
同様に、インサート２の外面１０は、本体５の内部キャビティ４の内面の形状と合致する。図１では、非限定的ではあるが、インサート２は実質的に環状であり、これによって、実質的に円形である本体５の内部キャビティ４の内面と嵌合する。
【００１４】
よって、セラミック要素３は、インサート２の変形によって、本体５の肩部１１上に嵌合することが明らかである。図２は、嵌合の仕上げを向上するために、セラミック要素３が肩部１１とインサート２を覆い隠すようになっているカラー８を備えてもよいことを示す。
【００１５】
本発明によると、好ましくは、恊働デバイス７は、インサート２とセラミック要素３の間の接着手段１３も含み、これによって、上記インサート２と要素３の間の相対移動を減少させる。本発明によると、接着手段１３は、局所的な粗度を増大させるためにセラミック要素３に、即ち少なくともヒール６の外面上に形成された凹部１４を含む。凹部１４は、０．２〜３μｍ、好ましくは０．４〜０．８μｍの算術平均粗度（Ｒa）を有してよい。更に、凹部１４は好ましくは、例えば赤外線レーザ放射など、破壊性の方法で構築される。
【００１６】
よって、図３の実施例に示すように、凹部１４は第２の一連の平行かつ直線の溝１６を横切る、第１の一連の平行かつ直線の溝１５を形成してよい。これらの凹部１４は、セラミック要素３を本体５に嵌合する際、インサート２上に一種のこぶ状領域を形成し、これによって、インサート２とセラミック要素３の間のあらゆる相対移動が回避されることになることは明らかである。
【００１７】
この図３の同一の実施例はまた、第１の一連の溝１５及び第２の一連の溝１６が、上記要素３の高さｈに対して斜めになっていることを示す。最後に、第１の一連の溝１５に含まれる溝は、第２の一連の溝１６に含まれる溝に対して実質的に垂直に延伸して、これらがこぶ状領域を形成し、正方形及び／又は菱形の配列を生成する。
【００１８】
当然のことであるが、本発明は図示した実施例に限定されるものではなく、当業者に明らかである様々な変形及び改変が可能である。特に、セラミック要素３、本体５又はインサート２は、他の部品への適合及び／又は適用のために、本発明の範囲から逸脱することなく、様々な寸法及び／又は形状を有してよい。
【００１９】
更に、本発明の利点を失うことなく、第１の一連の溝１５及び第２の一連の溝１６はまた、上記要素３の高さｈに対してそれぞれ斜め及び／又は垂直及び／又は平行であってもよい。同様に、第１の一連の溝１５に含まれる溝は、第２の一連の溝１６に含まれる溝に実質的に垂直でなく延伸して、これらが図３とは異なる配列を形成してもよい。
【００２０】
最後に、インサート２及び本体５を連続して受容するようなセラミック要素３の内面を想定することも可能である。
【図１】
0005592509.tif 000002
【図２】
0005592509.tif 000003
【図３】
0005592509.tif 000004